【手続補正書】
【提出日】平成18年6月22日(2006.6.22)
【手続補正１】
【補正対象書類名】特許請求の範囲
【補正対象項目名】全文
【補正方法】変更
【補正の内容】
【特許請求の範囲】
【請求項１】
使用者においてミネラル不均衡を検出するための自己診断試験キットであって、以下の：
複数のミネラル特異的試薬、ここで各ミネラル特異的試薬は、生物試料内の異なって選択されるミネラルと反応するように選択され、その結果、当該選択されたミネラル特異的試薬が、当該生物試料中の選択されたミネラルの濃度であって、空腹時のヒトについての標準濃度レベルを示す濃度範囲を外れる濃度に晒される場合、当該選択されたミネラル特異的試薬において目に見える変化が誘導され；並びに
選択されたミネラル不均衡障害の存在を示す目に見える変化についての少なくとも１の基準に対する複数の試薬の目に見える変化を含む診断ガイド
を含む、前記自己診断試験キット。
【請求項２】
前記複数のミネラル特異的試薬が、極微量、微量、及び全ての天然ミネラルからなる群から選ばれるミネラル・ファミリーから少なくとも１のミネラルを検出するために選択される、請求項１に記載の自己診断試験キット。
【請求項３】
前記複数のミネラル特異的試薬が、人体内で、自然に存在しない少なくとも１のミネラルを検出するために選ばれる、請求項１に記載の自己診断試験キット。
【請求項４】
前記複数のミネラル特異的試薬が、ＡＤＤ／ＡＤＨＤ、アルツハイマー病、貧血症、運動失調、双極性障害、先天的欠損症、血液疾患、脳損傷、脳疾患、乳癌、呼吸器系疾患、骨癌、心筋症、全身癌、クローン病、抑鬱病、脳症、眼損傷、心臓損傷、高血圧、不妊症、腸疾患、レーシュマニア症、肝臓癌、肝臓損傷、肺損傷、肺疾患、肺癌、腎臓損傷、腎臓疾患、躁病、神経損傷、神経障害、器官損傷、膵癌、歯周病、精神病、腎不全、皮膚疾患、及びウィルソン病からなる群から選ばれる疾患を示唆するミネラル不均衡を検出するために選ばれる、請求項１に記載の自己診断試験キット。
【請求項５】
前記複数のミネラル特異的試薬が、Ｂ、Ｇｅ、Ｆ、Ｉ、Ｓｉ、Ｖ、Ｃｒ、Ｃｏ、Ｃｕ、Ｆｅ、Ｎｉ、Ｍｏ、Ｓｅ、Ｚｎ、Ｓｎ、及びＭｎからなる群から選ばれる複数のミネラルにおける不均衡を検出するために選ばれる、請求項１に記載の自己診断試験キット。
【請求項６】
前記複数のミネラル特異的試薬が、Ｃａ、Ｃｌ、Ｍｇ、Ｐ、Ｎａ、及びＳからなる群から選ばれる複数のミネラルにおける不均衡を検出するために選ばれる、請求項１に記載の自己診断試験キット。
【請求項７】
前記複数のミネラル特異的試薬が、Ｌｉ、Ｂｅ、Ｎｅ、Ａｌ、Ｓｃ、Ｔｉ、Ｇａ、Ａｓ、Ｂｒ、Ｋｒ、Ｒｈ、Ｓｒ、Ｙ、Ｚｒ、Ｎｂ、Ｔｃ、Ｒｕ、Ｒｈ、Ｐｄ、Ａｇ、Ｃｄ、Ｉｎ、Ｓｂ、Ｔｅ、Ｘｅ、Ｃｓ、Ｂａ、Ｌａ、Ｈｆ、Ｔａ、Ｗ、Ｒｅ、Ｏｓ、Ｉｒ、Ｐｔ、Ａｕ、Ｈｇ、Ｔｌ、Ｐｂ、Ｂｉ、Ｐｏ、Ａｔ、Ｒｎ、Ｆｒ、Ｒａ、Ａｃ、Ｃｅ、Ｐｒ、Ｎｄ、Ｐｍ、Ｓｍ、Ｅｕ、Ｇｄ、Ｔｂ、Ｄｙ、Ｈｏ、Ｅｒ、Ｙｂ、Ｌｕ、Ｔｈ、Ｐａ及びＵからなる群から選ばれる複数のミネラルにおける不均衡を検出するために選ばれる、請求項１に記載の自己診断試験キット。
【請求項８】
前記複数のミネラル特異的試薬が、Ｎｐ、Ｐｕ、Ａｍ、Ｃｍ、Ｂｋ、Ｃｆ、Ｅｓ、Ｆｍ、Ｍｄ、Ｎｏ、Ｌａ、Ｒｆ、Ｄｂ、Ｓｇ、及びＢｈからなる群から選ばれる複数のミネラルにおける不均衡を検出するために選ばれる、請求項１に記載の自己診断試験キット。
【請求項９】
前記ミネラル特異的試薬が、アゾメチン-Ｈ；クロモトロピン酸；ジニトロナフタレンジオール；３,５-ジ-ｔ-ブチルカテコール；２,６-ジヒドロキシ安息香酸；クルクミン；５-Ｂｒ-ＰＡＰＳ；ｏ-ニトロフェニルフルオロン；ジフェニルカルバジド；５-Ｂｒ-ＰＡＤＡＰ；ＢＴＡＭＢ；ＴＡＭＳＭＢ；５-Ｃｌ-ＰＡＤＡＢ；ジチゾン；３,５-ジＢｒ-ＰＡＭＢ；ニトロソ-ＤＭＡＰ；ニトロソ-ＰＳＡＰ；ニトロソ-ＤＥＡＰ；５-Ｂｒ-ＰＡＤＡＢ；バソクプロイン・ジスルホン酸２ナトリウム塩；バソクプロイン；３,５-ジＢｒ-ＰＡＥＳＡ；ビシンコニン酸ナトリウム；ネオクプロイン；５-Ｂｒ-ＰＳＡＡ；ＴＭＰｙＰ；Ｎａ-ＤＤＴＣ；アルフッソン；クロマズロールＳ；フェニルフルオロン；Ｋ2ＨｇＩ4／Ｉ2；ビンドスケドラー・グリーン・ロイコ・ベース；ジフェニルカルバゾン；トリス（１,１０-フェナンスロリン）Ｆｅ（ＩＩ）複合体；バソフェナンスロリン・ジスルホン酸・ジナトリウム塩；ＴＰＴＺ；ＰＤＴＳ；ＰＤＴ；ニトロ-ＰＡＰＳ；ＰＰＫＯ；フェレンＳ；ＰＡＲ；オキシン；ＤＤＴＣ；トルエン-３,４-ジチオール；ＰＡＮ；ジメチルグリオキシム；ビスムチオール-２；２,３-ジアミノナフタレン；ＰＶ；ＳＡＴＰ；トルエン３,４-ジチオール；へニルフルオレン・３,３-ジアミノベンジジン；ｏ-フェニレンジアミン；４-クロロ-ｏ-フェニレンジアミン；アンモニウム・モリブデート；マラカイト・グリーン；ＢＰＡ；ジンコン；ＸＯ；ＴＭＰｙＰ；ジンキン・エチル・エステル；及びＴ（５-Ｓｔ）Ｐからなる群から選ばれる、請求項５に記載の自己診断試験キット。
【請求項１０】
前記ミネラル特異的試薬が、ＰＣ；ＭＸ；インド１；インド１-ＡＭ；クロロホスホナゾ-III；ネオ-トリン；フルオ３；フルオ３-ＡＭ；アルセナゾ-III；ＨＤＯＰＰ-Ｃａ；ロド２；ロド２-ＡＭ；ＧＨＡ；キン２；キン２-ＡＭ；カルマガイト；フラ２；フラ２-ＡＭ；チオ-ミクラー・ケトン；ＭＱＡＥ；ＳＰＱ；ジエチルカルバメート-Ｃｕ；ジフェニルカルバゾン；トリオシトリン；トリス(１,１０-フェナンスロリン)Ｆｅ(II)；Ｃｏ(３)-５-Ｃｌ-ＰＡＤＡＰ；マラカイト・グリーン；ビス(１２-クラウン-４)；ニトロフェニルアゾ-１５-クラウン-５；オキシン；パラロサニリン；バリウム・クロラニレート；メチレン・ブルー；ｏ-フタルアルデヒド；ｐ-フェニレンジアミン；トリス[２-(フェニルイミノメチル)ピリジナト]鉄；及び２-アミノペリミジンＨＣｌ/ＨＢｒからなる群から選ばれる、請求項６に記載の自己診断試験キット。
【請求項１１】
前記ミネラル特異的試薬が、ルモガリオン；ｏ,ｏ'-ジヒドロキシアゾベンゼン；アルミノン；オキシン；５-Ｂｒ-ＰＡＤＡＰ；ローダミンＢ；ブリリアント・グリーン；アルセメート；チオナリド；ニトロカテコール；エチル・バイオレット；ジメチルスルホナゾ-III；スルホナゾ-III；クロロホスホナゾ-III；クロマズラールＳ；アルセナゾ-Ｉ；アセチルアセトン；ベリロン-III；２-メチルオキシン；ビスムチオ-II；ＸＯ；ＤＤＴＣ；ジチゾン；ビンドスケドラー・グリーン・ロイコ・ベース；ジフェニルカルバゾン；ＰＡＮ；ホルムアルドオキシム；ピロガロール・レッド-ＡＭ；セシボール・テトラフェニルボレート；ＥｕＡｃ3；Ｅｕ2Ｏ3；ＧｄＡｃ3；Ｇｄ(ＮＯ3)2；シンコン；セミエチルキシレノール・ブルー；ＫＡｕ(ＣＮ)2；ＮａＡｕＣｌ4；ＫＡｕＣｌ4；ＫＡｕＩ4；５-(ｐ-ジメチルアミノベンジリデン)ローダミン；ＰＡＲ；Ｋ3ＩｒＣｌ6；Ｎａ3ＩｒＣｌ6；ＳｎＣｌ2-ＨＢｒ；ロイコ-クリスタル・バイオレット；ＰｂＡｃ2；ＰｂＣｌ2；Ｐｂ(ＮＯ3)2；ＭｅＰｂＡｃ；ＴＰＰＳ；トリン；ビベンジル-１４-クラウン-４；ホスフォドデシル-１４クラウン４；ＴＴＤ-１４-クラウン-４；メチルドデシル-１２-クラウン-４；ジベンゾチアゾリルメタン；ＥｔＨｇＣｌ2；ＥｔＨｇホスフェート；Ｈｇ(ＣＮ)2；ＥｔＨｇチオサリシレート(チオマーサル)；マーサリル；ＰＣＭＢ；ＰＨＭＢ；ＰＣＭＢＳ；ＰｈＨｇＡｃ；ＨｇＣｌ2；ＨｇＡｃ2；ＨｇＳＯ4；マーキュロクロム；ベイカー試薬(２Ｈｇ)；テトラキス酢酸水銀(ＴＡＭ)(4Ｈｇ)；ＳＴＴＡ；チオ-ミクラー・ケトン；ジ-α-ナフタイルチオカルボネート；スルホクロロフェノール-Ｓ；ＴＰＡＣ；ＢＰＲ；フェニルフルオロン；Ｏｓ(ＮＨ3)6Ｉ3；Ｋ2ＯｓＣｌ6；Ｋ2ＯｓＯ4；チロン；Ｋ2ＰｄＣｌ4；Ｋ2ＰｄＢｒ4；Ｋ2ＰｄＩ4；ＰｄＣｌ2；Ｐｄ(ＮＯ3)2；ＢＴＡＭＢ；５-Ｂｒ-ＰＳＡＡ；５-Ｂｒ-ＰＡＰＳ；チオオキシン；ｐ-ニトロソ-Ｎ,Ｎ'ジメチルアニリン；Ｋ2ＰｔＣｌ4；Ｋ2ＰｔＣｌ6；Ｋ2ＰｔＩ6；Ｋ2Ｐｔ(ＮＯ2)4；Ｐｔ(ＮＨ3)2Ｃｌ2；Ｐｔ(エチレンジアミン)Ｃｌ2；Ｋ2Ｐｔ(ＣＮ)4；ＲｅＣｌ3；２-フリルジオキシム；ジメチルグリオキシム；メチレン・ブルー；カリボール；ＴＰＴＺ；１,１０-フェナンスロリン；ＳｍＡｃ3；Ｓｍ(ＮＯ3)3；ＳｍＣｌ4；５,７-ジクロロ-オキシン；キニザリン；ＡｇＮＯ3；ＫＡｇＣＮ2；３,５-ｄｉＢｒ-ＰＡＤＡＰ；３,５-ｄｉＢｒ-ＰＡＥＳＡ；２-アミノ-６-メチルチオ-４-ピリミジン-カルボン酸；ＰＣ；ジニトロスルホンアゾ-III；ムレキシド；ビスムチオール-２；ジエチジチオバメート；マラカイト・グリーン；Ｔｈ(ＮＯ3)4；アルセナゾ-III；モリン；ジアンチピリルメタン；ｏ,ｏ'-ジヒドロキシアゾベンゼン；クリスタルバイオレット；アリザリン；Ｎａ2ＷＯ4；トルエン-３,４-ジチオール；ＵＯ2Ａｃ2；Ｋ3ＵＯ2Ｆ5；ＵＯ2(ＮＯ3)2；ＵＯ2ＳＯ4；ＴｂＣｌ3；ＹｂＡｃ3；Ｚｒ(ＮＯ3)4；ＰＶ；ＴＡＮ；及びアリザリン・レッドＳからなる群から選ばれる、請求項７に記載の自己診断試験キット。
【請求項１２】
前記生物試料が、血液、尿、唾液、粘液、及び涙からなる群から選ばれる、請求項１に記載の自己診断試験キット。
【請求項１３】
前記可視的変化が比色定量変化である、請求項１に記載の自己診断試験キット。
【請求項１４】
以下の：
その上に配置される少なくとも１の生物体液容器を有する本体；
少なくとも１の上記生物体液容器と液体を通して繋がる生物試料溝；及び
各ミネラル特異的試薬を少なくとも１の生物体液の容器内に配置される生物試料に晒すことができるように配置される複数のミネラル特異的試薬、ここで当該ミネラル特異的試薬は、生物試料内の選択された異なるミネラルと反応するように選ばれており、その結果、選択されたミネラル特異的試薬が、生物試料中の選択されたミネラルの濃度であって、空腹時の個人についての標準濃度レベルを指し示す濃度の範囲外である濃度に晒される場合、選択された特異的試薬において可視的変化が誘導され；そして 
選択されたミネラル不均衡の疾患の存在を指し示す可視的変化についての少なくとも１の基準に対して、複数の試薬の可視的変化を比較するための診断ガイド、
を含む自己診断試験装置。
【請求項１５】
複数の生物体液容器を含み、ここで当該複数のミネラル特異的試薬の各々が、上記複数の生物体液容器の異なる１内に独立して配置される、請求項１４に記載の自己診断試験装置。
【請求項１６】
前記複数のミネラル特異的試薬の各々が、少なくとも１の生物体液容器内に除去可能なように配置される少なくとも１の異なる基質上に配置される、請求項１４に記載の自己診断試験装置。
【請求項１７】
少なくとも１の異なる基質の各々が、計量棒である、請求項１６に記載の自己診断試験装置。
【請求項１８】
前記選択されたミネラル特異的試薬の可視的変化が外から観察できるように、本体の少なくとも一部が透明である、請求項１４に記載の自己診断試験装置。
【請求項１９】
前記複数のミネラル特異的試薬が、極微量、微量、及び全ての天然ミネラルからなる群から選ばれるミネラル・ファミリーから少なくとも１のミネラルを検出するために選ばれる、請求項１４に記載の自己診断試験装置。
【請求項２０】
前記複数のミネラル特異的試薬が、人体内で自然に存在しない少なくとも１のミネラルを検出するために選ばれる、請求項１４に記載の自己診断試験装置。
【請求項２１】
前記複数のミネラル特異的試薬が、ＡＤＤ／ＡＤＨＤ、アルツハイマー病、貧血症、運動失調、双極性障害、先天的欠損症、血液疾患、脳損傷、脳疾患、乳癌、呼吸器系疾患、骨癌、心筋症、全身癌、クローン病、抑鬱病、脳症、眼損傷、心臓損傷、高血圧、不妊症、腸疾患、レーシュマニア症、肝臓癌、肝臓損傷、肺損傷、肺疾患、肺癌、腎臓損傷、腎臓疾患、躁病、神経損傷、神経障害、器官損傷、膵癌、歯周病、精神病、腎不全、皮膚疾患、及びウィルソン病からなる群から選ばれる疾患を示唆するミネラル不均衡を検出するために選ばれる、請求項１４に記載の自己診断試験装置。
【請求項２２】
前記複数のミネラル特異的試薬が、Ｂ、Ｇｅ、Ｆ、Ｉ、Ｓｉ、Ｖ、Ｃｒ、Ｃｏ、Ｃｕ、Ｆｅ、Ｎｉ、Ｍｏ、Ｓｅ、Ｚｎ、Ｓｎ、及びＭｎからなる群から選ばれる複数のミネラルにおける不均衡を検出するために選ばれる、請求項１４に記載の自己診断試験装置。
【請求項２３】
前記生物試料が、血液、尿、唾液、粘液、及び涙からなる群から選ばれる、請求項１４に記載の自己診断試験装置。
【請求項２４】
前記可視的変化が、比色定量変化である、請求項１４に記載の自己診断試験装置。
【請求項２５】
以下のステップ：
その上に配置される少なくとも１の生物体液容器を有する本体を提供し；
生物試料溝を提供し；
上記生物試料溝を、上記少なくとも１の生物体液容器と接続して、その間における液体の連絡を提供し；そして
各ミネラル特異的試薬が、上記少なくとも１の生物体液容器内に配置される生物試料にさらされるように、上記本体内に複数のミネラル特異的試薬を配置し、ここで当該ミネラル特異的試薬が、上記生物試料内の異なる選択されたミネラルと反応するために選択され、その結果、当該選択されたミネラル特異的試薬が、生物試料中の選択されたミネラルの濃度であって、空腹時のヒトについての標準濃度を指し示す濃度範囲を外れる濃度にさらされるとき、可視的な変化が選択されたミネラル特異的試薬において誘導され；並びに、
選択されたミネラル不均衡の疾患の存在を指し示す可視的変化についての少なくとも１の標準に対して、複数の試薬の可視的変化を比較するための診断ガイドを提供する、
を含む、自己診断試験装置の製造方法。
【請求項２６】
前記配置ステップが、前記複数の生物体液容器の異なる１内で、前記複数のミネラル特異的試薬の各々を独立して配置することを含む、請求項２５に記載の方法。
【請求項２７】
前記配置ステップが、前記少なくとも１の生物体液容器内に除去可能な状態で配置される少なくとも１の異なる基質上の複数の前記ミネラル特異的試薬の各々を配置することを含む、請求項２５に記載の方法。